(57)【特許請求の範囲】
【請求項１】
板状の浮力材（４）を備え、該浮力材（４）の外側所定位置に、服地から構成されたポケット（１１，１２）が設けられている浮力材付き衣服において、浮力材（４）の表面には、ポケット（１１，１２）に対応した位置に凹部（１６，１７）が形成され、ポケット（１１，１２）の収容空間（Ｖ）の少なくとも一部が凹部（１６，１７）内に形成されるよう構成されていることを特徴とする浮力材付き衣服。
【請求項２】
板状の浮力材（５）を備え、該浮力材（５）の内側所定位置に、服地から構成されたポケット（２１）が設けられている浮力材付き衣服において、浮力材（５）の裏面には、ポケット（２１）に対応した位置に凹部（２２）が形成され、ポケット（２１）の収容空間（Ｖ）の少なくとも一部が凹部（２２）内に形成されるよう構成されていることを特徴とする浮力材付き衣服。
【請求項３】
前身ごろ（２）に板状の浮力材（４）を備え、該浮力材（４）の外側所定位置に服地から構成されたポケット（１１，１２）が設けられている浮力材付きベストにおいて、浮力材（４）の表面には、ポケット（１１，１２）に対応した位置に凹部（１６，１７）が形成され、ポケット（１１，１２）の収容空間（Ｖ）の少なくとも一部が凹部（１６，１７）内に形成されるよう構成されていることを特徴とする浮力材付きベスト。
【請求項４】
板状の浮力材（４，５）を備え、該浮力材（４，５）の外側又は内側の所定位置に、服地から構成されたポケット（１２，２１）が設けられている浮力材付き衣服において、浮力材（４，５）のポケット（１２，２１）に対応した位置には貫通孔（４０）が形成され、ポケット（１２，２１）の収容空間（Ｖ）の少なくとも一部が貫通孔（４０）内に形成されるよう構成されていることを特徴とする浮力材付き衣服。
【請求項５】
浮力材（４）の外側所定位置にポケット（１１，１２）が設けられている浮力材付き衣服において、浮力材（４）の表面には、ポケット（１１，１２）に対応した位置に凹部（１６，１７）が形成され、ポケット（１１，１２）の収容空間（Ｖ）の少なくとも一部が凹部（１６，１７）内に形成されるよう構成されていることを特徴とする浮力材付き衣服。
【請求項６】
ポケット（１２）の外壁（１２ａ）が保形性を有する板状部材から構成されている請求項５記載の浮力材付き衣服。
【請求項７】
ポケット（１２）の外壁（１２ａ）は、外面側が凸になるように形成されている請求項６記載の浮力材付き衣服。
【請求項８】
ポケット（１２）の外壁（１２ａ）はドーム状に形成されている請求項７記載の浮力材付き衣服。
【請求項９】
板状部材は、少なくとも外面側に被覆シート（５１）が積層された板状発泡体（５２）である請求項６乃至８の何れかに記載の浮力材付き衣服。
【請求項１０】
ポケット（１２）の外壁（１２ａ）は、板状発泡体（５２）を熱圧成形することにより外面側が凸となるように形成されている請求項９記載の浮力材付き衣服。
【請求項１１】
被覆シート（５１）が防水性フィルムである請求項９又は１０記載の浮力材付き衣服。
【請求項１２】
ポケット（１２）の外壁（１２ａ）はその下縁部（１２ｂ）を支点として開閉可能である請求項６乃至８の何れかに記載の浮力材付き衣服。
【請求項１３】
開状態においてポケット（１２）の外壁（１２ａ）が垂れ下がり状態とならないように、ポケット（１２）の外壁（１２ａ）を所定の開き角度に保持する保持手段（５３）を備えている請求項１２記載の浮力材付き衣服。
【請求項１４】
保持手段（５３）は、ポケット（１２）の外壁（１２ａ）が略水平姿勢となるように保持する請求項１３記載の浮力材付き衣服。
【請求項１５】
ポケット（１２）の外壁（１２ａ）の内面に布材が縫着されることにより外壁（１２ａ）の内面に小ポケット（２０）が設けられている請求項６記載の浮力材付き衣服。
【請求項１６】
ポケット（１２）の外壁（１２ａ）の内面に収容凹部（５０）が形成され、該収容凹部（５０）を形成した位置に前記小ポケット（２０）が設けられている請求項１５記載の浮力材付き衣服。
【請求項１７】
収容凹部（５０）が複数形成され、該複数の収容凹部（５０）がそれぞれ独立した小ポケット（２０）を構成している請求項１６記載の浮力材付き衣服。
【請求項１８】
布材は伸縮性布材であり、小ポケット（２０）に収容した被収容物が伸縮性布地の伸縮性によって外壁（１２ａ）の内面に押圧されて保持されるように構成されている請求項１５乃至１７の何れかに記載の浮力材付き衣服。
【請求項１９】
浮力材（４）の凹部（１７）壁面がポケット（１２）の内壁を構成している請求項６記載の浮力材付き衣服。
【請求項２０】
ポケット（１２）が衣服に着脱可能に構成されている請求項５記載の浮力材付き衣服。
【請求項２１】
ポケット（１）を衣服に固定するための固定手段が浮力材（４）の凹部（１７）内に設けられている請求項２０記載の浮力材付き衣服。
【請求項２２】
固定手段は面ファスナー（５５）であり、面ファスナー（５５）のフック状部とループ状部のうち、一方はポケット（１２）に他方は凹部（１７）内に設けられている請求項２１記載の浮力材付き衣服。
【請求項２３】
ポケット（１２）には面ファスナー（５５）のループ状部側が設けられ、衣服には面ファスナー（５５）のフック状部側が設けられている請求項２２記載の浮力材付き衣服。
【請求項２４】
フック状部が凹部（１７）の底部に設けられている請求項２３記載の浮力材付き衣服。
【発明の詳細な説明】
【０００１】
【発明の属する技術分野】
本発明は、浮力材付き衣服に関し、特に、いわゆるフローティングベストと称される浮力材付きベストに関する。
【０００２】
【従来の技術】
従来、この種のフローティングベストは、左右の前身ごろと後ろ身ごろに、発泡プラスチックからなる板状の浮力材をそれぞれ備えている。各浮力材は、前身ごろや後ろ身ごろの形に合わせて形成され、服地からなる衣服本体に各々収容されている。
【０００３】
また、釣りに際して着用されるフローティングベストにおいては、ラインやカッター等の各種釣り用小物を収容できるポケットを備えていることが一般的である。このポケットは、衣服本体の各箇所に設けられるが、左右の前身ごろの外面に設けられることが多い。
【０００４】
【発明が解決しようとする課題】
ところで、この前身ごろの外面のポケットは、内部の浮力材と正面視重なり合う位置に設けられているため、前身ごろの外面から前側に突出して設けられている。そして、釣り用小物等の被収容物をポケットに入れると、ポケットが前側に大きく膨出することとなる。
【０００５】
フローティングベストは、浮力材のない一般のベストに比して、浮力材を収容している分だけ前身ごろの厚みが大きく、着用した時の嵩が大きい。そのため一般のベストを着用したときに比して動きが取りにくく、特に、釣りの場合に必要な腕の微妙な動きが妨げられやすいという共通した問題を備えている。しかも、前身ごろの厚みが大きいために足下が見にくくなる。
【０００６】
このようにフローティングベストは一般のベストに比して釣り人の動きが取りにくいものであるうえに、前身ごろの外面のポケットが釣り用小物によって前方側に大きく膨れると、上記問題がより一層顕著となる。
【０００７】
以上は、前身ごろの外面に設けたポケットに関する問題であるが、後ろ身ごろの外面にポケットを設けた場合においても、ポケットに被収容物を入れると後方側に膨れあがるため、障害物に後ろ身ごろが接触しやすくなるなど、釣りの妨げになる可能性がある。このように、フローティングベストにおいては、浮力材の外側にポケットが位置するため、ポケットに釣り用小物等の被収容物を入れるとポケットが外方に向けて大きく膨出し、そのために釣りの妨げになる場合があったのである。
【０００８】
一方、外ポケットではなく内ポケットを設けることもある。例えば、前身ごろの内面や後ろ身ごろの内面にポケットを設けることもある。このように浮力材の内側に設けられたポケットに被収容物を入れると、ポケットは内方に向けて膨出する。即ち、ポケットに入れられた被収容物が着用者の体に当たることになり、体とのベストの密着性が悪くなり動きがとりにくくなるうえに、不快感も生じやすくなる。
【０００９】
以上の問題はフローティングベストに限られず、浮力材の外側あるいは内側に服地から構成されたポケットを有する衣服全般に共通している。
【００１０】
また、ポケットは、服地から構成されたもののみならず、種々の構成のポケットにおいても同様であり、何れにしてもポケットが大きく膨出していると、着用者の動きがポケットの膨らみによって制限されるという問題がある。
【００１１】
それゆえに本発明は、上記従来の問題点に鑑みてなされたもので、ポケットの膨出量を抑制することにより着用者がスムーズに動くことができる浮力材付き衣服及び浮力材付きベストを提供することを課題とする。
【００１２】
【課題を解決するための手段】
本発明は、上記課題を解決すべくなされたものであり、本発明に係る浮力材付き衣服は、板状の浮力材を備え、該浮力材の外側所定位置に、服地から構成されたポケットが設けられている浮力材付き衣服において、浮力材の表面には、ポケットに対応した位置に凹部が形成され、ポケットの収容空間の少なくとも一部が凹部内に形成されるよう構成されていることを特徴とする。
【００１３】
該構成では、ポケットの収容空間の少なくとも一部が凹部内に形成されることにより、被収容物をポケットに入れた場合において、ポケットの外側への膨出量が抑制される。従って、ポケットに障害物や腕等が当たったりして歩行等の妨げになるということが抑制される。
【００１４】
また、本発明に係る浮力材付き衣服は、板状の浮力材を備え、該浮力材の内側所定位置に、服地から構成されたポケットが設けられている浮力材付き衣服において、浮力材の裏面には、ポケットに対応した位置に凹部が形成され、ポケットの収容空間の少なくとも一部が凹部内に形成されるよう構成されていることを特徴とする。
【００１５】
該構成では、ポケットの収容空間の少なくとも一部が凹部内に形成されることにより、被収容物をポケットに入れた場合において、ポケットの内側への膨出量、即ち、着用者の体側への膨出量が抑制される。従って、衣服と着用者の体との密着性が高まって動きやすくなり、不快感も軽減される。
【００１６】
また、本発明に係る浮力材付きベストは、前身ごろに板状の浮力材を備え、該浮力材の外側所定位置に服地から構成されたポケットが設けられている浮力材付きベストにおいて、浮力材の表面には、ポケットに対応した位置に凹部が形成され、ポケットの収容空間の少なくとも一部が凹部内に形成されるよう構成されていることを特徴とする。
【００１７】
該構成では、前身ごろのポケットに腕が干渉しにくくなるため、釣りなどに必要な腕の微妙な動きを円滑に行うことができる。特に、前身ごろのポケットの膨出量が抑制されることにより、足下の視界も妨げられにくくなる。
【００１８】
また、本発明に係る浮力材付き衣服は、板状の浮力材を備え、該浮力材の外側又は内側の所定位置に、服地から構成されたポケットが設けられている浮力材付き衣服において、浮力材のポケットに対応した位置には貫通孔が形成され、ポケットの収容空間の少なくとも一部が貫通孔内に形成されるよう構成されていることを特徴とする。
【００１９】
また、本発明に係る浮力材付き衣服は、浮力材の外側所定位置にポケットが設けられている浮力材付き衣服において、浮力材の表面には、ポケットに対応した位置に凹部が形成され、ポケットの収容空間の少なくとも一部が凹部内に形成されるよう構成されていることを特徴とする。
【００２０】
特に、ポケットの外壁が保形性を有する板状部材から構成されていることが好ましい。この構成の場合にはポケットに被収容物を入れても入れなくても良好な外観が得られる。また、ポケットの膨出量が少ないことから外壁に外力が加わりにくいうえに、外力が外壁に作用した場合でも保形性を有することから被収容物を外力から保護できる。従って、背後に浮力材があること、背後の浮力材に凹部を形成してその凹部を収容空間として利用していること、及び外壁に保形性を持たせたこととが相まって、被収容物を効果的に保護できる。
【００２１】
更に、ポケットの外壁は、外面側が凸になるように形成されていることが好ましい。この場合、平坦な構成に比して凹みにくく外力に対する強度を容易に確保できる。特に、ポケットの外壁はドーム状に形成されていることが好ましく、より一層大きな強度が確保できる。
【００２２】
また、板状部材は、少なくとも外面側に被覆シートが積層された板状発泡体であることが好ましい。板状発泡体を使用することにより、その緩衝効果によって被収容物を効果的に保護できる。しかも、被覆シートによって板状発泡体自体も保護される。
【００２３】
更に、ポケットの外壁は、板状発泡体を熱圧成形することにより外面側が凸となるように形成されていることが好ましく、製造が容易となり、複雑な形状にも容易に対応できる。
【００２４】
特に、被覆シートが防水性フィルムであることが好ましい。防水性のために汚れが付着しにくいうえに、付着した汚れも容易に拭き取ったりして除去できる。ふき取りの際、外壁が保形性を有しているため、ふき取り作業も容易である。特に、外壁が外面側凸に形成されているとその外面に汚れが付着しやすいため、防水性フィルムを使用することの効果が大きい。
【００２５】
また、ポケットの外壁はその下縁部を支点として開閉可能であることが好ましい。これにより、ポケットを大きく開けることができ、被収容物の取り出し、収容が容易となる。更にポケットの外壁が保形性を有しているため、容易に開閉することができる。
【００２６】
特に、開状態においてポケットの外壁が垂れ下がり状態とならないように、ポケットの外壁を所定の開き角度に保持する保持手段を備えていることが好ましく、被収容物の落下防止に効果があり、また、外壁が保形性を有しているため良好な姿勢に保持できる。
【００２７】
しかも、保持手段は、ポケットの外壁が略水平姿勢となるように保持することが好ましい。外壁が保形性を有しているため、小物の載置場所や作業台として利用できる。また、外壁１２ａが外面側が凸となるように形成されていれば、内面が凹状となるため載置した小物の落下を防止できる。
【００２８】
また、ポケットの外壁の内面に布材が縫着されることにより外壁の内面に小ポケットが設けられていることが好ましい。小ポケットを設けることにより被収容物の分離収容の利便性が高まり、しかも外壁の内面に設けることにより取り出し性もよい。
【００２９】
特に、ポケットの外壁の内面に収容凹部が形成され、該収容凹部を形成した位置に前記小ポケットが設けられていることが好ましい。内面に収容凹部を形成することにより平坦な場合に比して被収容物を安定して収容できる。
【００３０】
更に、収容凹部が複数形成され、該複数の収容凹部がそれぞれ独立した小ポケットを構成していることが好ましく、仕切り機能により収容凹部毎に異なる種類の被収容物を収容できる。
【００３１】
更に、布材は伸縮性布材であり、小ポケットに収容した被収容物が伸縮性布地の伸縮性によって外壁の内面に押圧されて保持されるように構成されていることが好ましく、確実に保持することができる。その場合、外壁が保形性を有しているので、伸縮性布地による押圧力が外壁の内面に作用しても良好な外観が維持される。
【００３２】
また、浮力材の凹部壁面がポケットの内壁を構成していることが好ましく、ポケット用裏地を省略できる。
【００３３】
また、ポケットが衣服に着脱可能に構成されていることが好ましい。浮力材付き衣服の場合、着用すると浮力材のためにポケットへの被収容物の出し入れは一般の衣服よりも困難であるが、着用状態で例えばポケットを外して使用することができるため、容易に被収容物の出し入れを行うことができ、しかも、例えば釣り場等の目的地までは取り付けた状態とすることができ、その際には膨出量が少ないために嵩も小さい。
【００３４】
特に、ポケットを衣服に固定するための固定手段が浮力材の凹部内に設けられていることが好ましく、ポケットを外した状態において固定手段が邪魔にならない。
【００３５】
更に、固定手段は面ファスナーであり、面ファスナーのフック状部とループ状部のうち、一方はポケットに他方は凹部内に設けられていることが好ましい。面ファスナーを使用すれば着脱がより一層容易となるうえに、面ファスナーを凹部内に設けることにより、ポケットを凹部内に挿入させることで自動的に固定することができる。
【００３６】
更に、ポケットには面ファスナーのループ状部側が設けられ、衣服には面ファスナーのフック状部側が設けられていることが好ましい。着脱されるためにゴミが付着しやすくなるポケットにループ状部を設け、フック状部を凹部内に設けることにより、フック状部へのゴミの付着を効果的に抑制できる。
【００３７】
特に、フック状部が凹部の底部に設けられていることが好ましい。フック状部とループ状部との係合の方向とポケットの凹部内への挿入の方向とが略一致するため挿入動作で確実にポケットを固定でき、しかも、凹部のうちの最も奥まった位置にフック状部があるためゴミの付着防止にも効果が大きい。
【００３８】
【発明の実施の形態】
以下、本発明に係る浮力材付きベストの一実施形態について、図１乃至図６を参酌しつつ、服地から構成された衣服本体１の左右の前身ごろ２と後ろ身ごろ３に各々板状の浮力材４，５を備えている釣り用衣服としてのフローティングベストについて説明する。
【００３９】
該ベストは、左右の前身ごろ２と後ろ身ごろ３とから構成され、後ろ身ごろ３は、左右の脇部において伸縮可能なウエスト調節片６を介して前身ごろ２と連結されている。
【００４０】
また、各浮力材４、５は、服地から構成された衣服本体１に収容されている。即ち、衣服本体１の左右の前身ごろ２と後ろ身ごろ３には、図２に示すように、それぞれ浮力材収容部７が設けられている。浮力材収容部７は、衣服本体１の表地８と裏地９をその周縁部において縫着することにより表地８と裏地９との間に形成されており、本実施形態において、浮力材収容部７にはスライドファスナー１０で開閉可能な開口部が形成され、浮力材収容部７に浮力材４が着脱自在に収容される。
【００４１】
更に、各浮力材４、５は、前身ごろ２等のサイズに合わせて形成されている。例えば、前身ごろ２に収容されている浮力材４は、図３のように、前身ごろ２の形状と略合致した形状に形成されており、衣服本体１の前身ごろ２における浮力材収容部７は前身ごろ２の略全体に設けられている。後ろ身ごろ３についても同様である。
【００４２】
一方、図１において、衣服本体１の前身ごろ２の外面２ａには、上方位置と下方位置に各々ポケット１１，１２（外ポケット）が設けられている。即ち、該ポケット１１，１２は、浮力材４の外側所定位置に重なり合うように設けられており、何れも正面視略四角形状に形成されてその上縁から中央側の側縁にかけて略Ｌ字状の開口部を有し、その開口部にはスライドファスナー１３，１４が設けられて開閉自在とされている。
【００４３】
下側のポケット１２は図４に示すように前身ごろ２の外面２ａから前方に突出しないように形成されており、ポケット１２の外壁１２ａは前身ごろ２の外面２ａと略面一に形成されている。即ち、前身ごろ２の表地８によってポケット１２の外壁１２ａが構成されている。そして、表地８の内面にポケット用裏地１５が縫着され、前身ごろ２の表地８とポケット用裏地１５との間に、ポケット１２の収容空間Ｖが形成される。尚、上側のポケット１１についても同様であり、その外壁１１ａは前身ごろ２の外面２ａと略面一に形成されている。
【００４４】
一方、図３のように、前身ごろ２の浮力材４の表面には、ポケット１１，１２に対応した位置にそれぞれ凹部１６，１７が形成されている。該凹部１６，１７は、対応するポケット１１，１２の面積と略等しく、その形状もポケット１１，１２に合わせて正面視略四角形状である。尚、凹部１６，１７の深さは略一定である。また、このように凹部１６，１７を設けているが、フローティングベストとして認定され得る浮力を従来同様に確保するために、浮力材４の体積は従来と同じにされており、そのため、厚みを従来よりも裏面側に増している。
【００４５】
そして、上述したポケット用裏地１５には所定幅のマチ１５ａが設けられており、図４のようにポケット１１，１２の内側に位置する浮力材４の凹部１６，１７内にポケット用裏地１５が入り込む。従って、浮力材４の凹部１６，１７により、前身ごろ２の略平坦な表地８に対してポケット用裏地１５が浮力材４の凹部１６，１７の形状に合わせて窪み、ポケット１１，１２の収容空間Ｖはその略全体が浮力材４の凹部１６，１７内に形成される。
【００４６】
即ち、従来では、図１４に示すように、前身ごろ２の外面２ａから前方にポケット１２が突出形成され、従って、そのポケット１２の収容空間Ｖも前身ごろ２の外面２ａよりも前側の位置に形成されていた。これに対して、本実施形態では、ポケット１２の収容空間Ｖが前身ごろ２の外面２ａから奥まった位置に形成されるため、前身ごろ２の外面２ａは全体に亘って略平坦となる。そのため、釣り人が着用した場合に、胸部や腹部からのベストの膨出量が少なくなり、釣り人が従来に比して動きやすくなる。
【００４７】
釣りにおいては仕掛け変更やカッターによるラインの切除等の作業を如何に素早く行うかによって釣果に大きな影響がでるため、前身ごろ２の外面２ａのポケット１１，１２にできるかぎりの釣り用小物を入れておき、必要に応じて適宜取り出して使用することが多い。
【００４８】
本実施形態のベストでは、ポケット１１，１２の収容空間Ｖが凹部１６，１７内に形成されているため、ポケット１１，１２を前側に突出形成せずとも必要なポケット１１，１２の容積が確保され、多くの釣り用小物を収容することできる。しかも、前側への膨出を防止することができるため、腕をスムーズに動かすことができるうえに仕掛け変更等の作業もやりやすく、また、足下の視野がポケット１１，１２によって遮られるということもない。更に、歩行時においてポケット１１，１２が障害物に当たることも防止される。
【００４９】
また、図４のように、下側のポケット１２の外壁１２ａを構成する表地８には、その内面に上方に開口する小ポケット２０が設けられている。ポケット１２の内壁を構成するポケット用裏地１５にこの小ポケット２０を設けることも可能であるが、ポケット１２の収容空間Ｖが奥まった位置にあるため、ポケット用裏地１５ではなくポケット１２の外壁１２ａの内面に小ポケット２０を設けることが好ましく、小ポケット２０に入れた被収容物が取り出しやすくなるという利点がある。
【００５０】
尚、前身ごろ２の内面、即ち前身ごろ２の裏地９にポケット（内ポケット）を設ける場合には、図３で示した浮力材４の裏面にも、その内ポケットに対応した位置に凹部を形成して、内ポケットの収容空間Ｖを凹部内に形成することが好ましい。但し、外ポケットと内ポケットとは同一箇所にならないように互いにずらして位置させることが好ましい。
【００５１】
また、後ろ身ごろ３にポケットを設ける場合も同様である。例えば、図５のように後ろ身ごろ３の内面、即ち、後ろ身ごろ３の裏地９に内ポケット２１を設ける場合、収容された浮力材５の裏面に内ポケット２１に対応した位置に凹部２２を形成する。ポケット２１の構成は外ポケット１１，１２と略同様であり、縦方向の開口部にスライドファスナー２３を備え、ポケット用裏地１５にマチ１５ａが設けられて凹部２１内に入り込む構成で、その収容空間Ｖは凹部２２内に形成される。このように、内ポケット２１に対応した位置に凹部２２を形成することにより、内ポケット２１に被収容物を入れても内ポケット２１が従来のように着用者の体側に膨出せず、従って、内ポケット２１が着用者の体に当たりにくくなり、ベストと体との密着性が良くなって動きやすくなる。また、内ポケット２１が体を押圧することによる不快感も解消される。
【００５２】
また、フローティングベストが体から上方に抜けることを防止するために、一般に着用時には股を前後に通して前身ごろ２と後ろ身ごろ３とを下方側で連結する股紐が使用される。該股紐は使用しない場合には後ろ身ごろ３の内ポケット２１に入れられることが多いが、この場合においても、この内ポケット２１の収容空間Ｖを凹部２２内に形成しているため、体側への出っ張りがなくなる。
【００５３】
尚、本実施形態では、ポケット用裏地１５にマチ１５ａを設けて凹部１６，１７，２２内に入り込むようにしたが、ポケットを構成する服地のうち凹部に面する部分は凹部内に入り込むことができるように服地に余裕分を持って縫製することが好ましい。また、ポケット用裏地１５に保形部材を取り付けてポケット用裏地１５が凹部に確実に入り込むようにしてもよい。更に、例えば、ポケット用裏地１５に伸縮性を有する服地を用いて、被収容物を入れると凹部内に入り込む構成としてもよい。
【００５４】
また、凹部内に収容空間Ｖの略全体ではなく一部が形成される構成とすることもでき、何れにしても外側若しくは内側への膨出量を従来に比して抑制することができる。尚、ポケットを構成する服地には、種々のものが使用でき、伸縮性を有するものも使用できる。該伸縮性を有するものとしては、例えば、ウエットスーツ等に使用されるクロロプレンゴム製シートにジャージを貼着したものがある。
【００５５】
更に、ポケットについても種々の構成のものが採用できる。例えば、図７乃至図１０に示すように、ポケットの外壁を保形性を有する板状部材から構成することもできる。
図７に示すフローティングベストにおける上下のポケット１１，１２は何れもその外壁１１ａ，１２ａが保形性を有する板状部材から構成されたものである。以下、下側のポケット１２について説明するが、上側のポケット１１についても同様である。
【００５６】
該ポケット１２の外壁１２ａは、図８に示すように、縦断面視において外面（浮力材４とは反対側の面）側が凸となるように略ドーム状に湾曲している。また、図９に示すように、外壁１２ａの横断面は略波形であるものの全体としては外面側が凸となるように略ドーム状に湾曲している。
【００５７】
一方、図９及び図１０のように、外壁１２ａの内面には縦方向に伸びる収容凹部５０が横方向に所定の間隔をおいて複数並設されている。上述のように、ポケット１２の外壁１２ａは板状部材から構成されているため、その内面に収容凹部５０が形成されることにより外壁１２ａの外面にはそれに対応した凸部が形成される。このように外壁１２ａの内面に複数の収容凹部５０が形成されることにより外壁１２ａの横断面は上述の如く略波形となっている。尚、外壁１２ａは略均一厚に形成されている。
【００５８】
また、この実施形態におけるフローティングベストにおいても、外壁１２ａの内面に上方に開口する小ポケット２０が設けられている。該小ポケット２０は、外壁１２ａの内面に布材が縫着されることにより形成される。また、小ポケット２０は、収容凹部５０を形成した位置に形成されており、隣接する収容凹部５０間の境界部分５４に布地を縫着することにより、複数の収容凹部５０はそれぞれ独立した小ポケット２０を構成している。即ち、収容凹部５０毎に異なる種類の小物（被収容物）を収容することができる。尚、布地は一枚としても収容凹部５０毎に設けてもよい。
【００５９】
ここで、布材としては種々のものを使用でき、本実施形態では伸縮性布材としてゴム製ネットが使用されているがネット状には限定されない。このように伸縮性布材を使用することにより、小ポケット２０に収容したハサミやウキ等の小物（被収容物）を伸縮性布地の伸縮性によって外壁１２ａの内面に押圧して保持する。従って、小物を安定して確実に保持できる。更に、収容された小物は外壁１２ａの内面に当接した状態にあるが、後述のように板状発泡体５２から外壁１２ａを構成すれば、外部から加わる衝撃を緩和できるため小物の破損防止に効果的である。
【００６０】
また、外壁１２ａの内面に収容凹部５０を設けているため、単に平坦な内面に押圧して保持するのに比して小物の安定性が高まる。しかも複数の収容凹部５０が独立した構成であるため小物の分離収容に便利である。尚、収容凹部５０を小物の形状に対応した形状とすれば、より一層確実に小物を保持できる。
【００６１】
また、板状部材として、図１１のように外面側に被覆シート５１が積層された板状発泡体５２が使用されている。板状発泡体５２は例えばウレタンやＥＶＡ（エチレン酢酸ビニル共重合体）等の合成樹脂発泡体であり、被覆シート５１としては合成樹脂フィルムや織布等が使用でき、特にポリ塩化ビニルフィルムやＥＶＡフィルムやポリウレタンフィルム等の防水性フィルムが好ましい。そして、外壁１２ａの湾曲形状や収容凹部５０等の形状は、被覆シート５１が積層された板状発泡体５２を金型等で熱圧成形することにより形成されている。被覆シート５１は成形前に予め接着剤等で接着されていても、また、成形時にヒートシールさせてもよい。尚、内面にも被覆シート５１を設けてもよく、少なくとも外面に被覆シート５１を設けることにより、内部の板状発泡体５２を効果的に保護することができる。また、熱圧成形によって所定形状に形成することにより製造が容易となり、複雑な三次元形状も容易に製造でき、被覆シート５１の接着も同時にできる。特に、外壁１２ａが外側凸である場合、外壁１２ａが平坦な場合に比して外面が特に汚れやすいが、被覆シート５１として防水性フィルムを使用することにより汚れが付着しにくくなるうえに、付着した場合もふき取りが容易である。その場合、外壁１２ａが保形性を有しているためにふき取りが極めて容易である。
【００６２】
一方、本実施形態におけるポケット１２も、浮力材４の凹部１７の形状に合わせて正面視略四角形状に形成されているが、図１に示したのとは異なり、図７のようにその下縁部１２ｂを残した三辺（三方）が開口する略コの字状の開口部を有し、その開口部はスライドファスナー１４によって開閉自在とされている。また、上述のように外壁１２ａは外面側凸に湾曲しているが、該外壁１２ａの厚さ方向の寸法がポケット１２の前方への膨出量に略一致するように、外壁１２ａはその周縁部において前身ごろ２の外面２ａと略面一である。即ち、外壁１２ａはスライドファスナー１４を介して前身ごろ２の表地８に直接取り付けられている。このように外壁１２ａの湾曲量がポケット１２の膨出量と略一致しているために膨出量が極めて小さく、しかも、外壁１２ａの湾曲形状を利用することによりその内側空間をポケット１２の収容空間Ｖとして効果的に利用できる。即ち、ポケット１２の収容空間Ｖは、凹部１７の空間に外壁１２ａの湾曲分を加えたものとなる。
【００６３】
尚、ポケット１２の外壁１２ａが保形性を有しているため、ポケット１２の収容空間Ｖは被収容物の有無によらず略一定である。また、外壁１２ａの保形性により、被収容物を入れない場合においてもポケット１２において良好な外観が得られ、被収容物を入れた場合には前方からの衝撃に対して被収容物を保護することができる。被収容物の保護に関しては、浮力材４に凹部１７を形成しその凹部１７内にポケット１２の収容空間Ｖの大部分が形成されることも大きく寄与している。即ち、従来ではポケットが前方に大きく突出しているために外部から衝撃が作用しやすい。それに対して、浮力材４の凹部１７内にポケット１２の収容空間Ｖが形成される構成では、ポケット１２の膨出量自体が少ないために衝撃が作用しにくいうえに、浮力材４自体によって被収容物が保護されるという利点がある。それに加えて外壁１２ａが保形性を有する板状部材から構成されていれば、浮力材４と外壁１２ａとによって被収容物を略全方位に亘って保護できるのである。
【００６４】
特に、上述のように外壁１２ａに板状発泡体５２を使用した場合には、その緩衝効果によって、より一層確実に被収容物を保護できる。また、外壁１２ａが外面側が凸となるように湾曲しており、特にドーム状に形成されているため外力に対する強度が平坦な場合に比して大きい。
【００６５】
ところで、スライドファスナー１４によって上方と両側方とを開口することにより、ポケット１２の外壁１２ａは下縁部１２ｂを支点として上下に開閉可能となっている。このように下縁部１２ｂを支点として開閉できる構成によりポケット１２を大きく開口させることができて被収容物を容易に収容、取り出しすることができる。その際、外壁１２ａが保形性を有しているため開閉動作がスムーズである。
【００６６】
また、ポケット１２の外壁１２ａの開状態において、その外壁１２ａが垂れ下がり状態とならないように外壁１２ａを所定の開き角度で保持する保持手段が設けられている。外壁１２ａが垂れ下がった状態となるのを保持手段で防止することにより被収容物の落下を防止できるが、本実施形態においては、図９のように、ポケット１２の外壁１２ａの両側縁部をポケット用裏地１５に所定高さに亘って連結するマチ（襠）５３が保持手段として設けられ、両マチ５３によって開閉を容易にしている。開き角度は種々設定可能であるが、図８に二点鎖線にて示すように外壁１２ａが略水平姿勢となることが好ましい。外壁１２ａが保形性を有しているため良好な姿勢が得られる。また、略水平姿勢に保持することにより、保形性ある外壁１２ａを小物の載置場所や作業台として利用することができる。尚、マチ５３に代えて連結紐体等も使用できるが、マチ５３等の連結布体（ネット状も含む）とすることにより被収容物の側方への落下を防止できる。また、外壁１２ａは外側凸に湾曲しているためその内面は凹状であり、従って開状態において外壁１２ａの内面上に被収容物を載置した場合にその落下を効果的に防止できる。
【００６７】
尚、図８及び図９のように、浮力材４の凹部１７にポケット用裏地１５が入り込むが、このポケット用裏地１５を省略してもよい。即ち、浮力材４の凹部１７壁面がポケット１２の内壁となる構成としてもよい。浮力材４は、一般に合成樹脂発泡体から構成されるが、ポケット用裏地１５を省略する場合には、合成樹脂発泡体の表面にジャージや防水性フィルム等の被覆体を接着して被覆することが好ましい。ここで、防水性フィルムとしては、ポリ塩化ビニルフィルム等の種々のものが使用できるが、特に、合成樹脂発泡体とヒートシール可能な例えばポリウレタンフィルム等が好ましい。
【００６８】
更に、ポケット１２がベスト（衣服）から着脱可能に構成してもよい。例えば、図１２のように、ポケット１２の大部分が浮力材４の凹部１７内に入り込むようにして固定することができ、ベストから外してそれ単体にて携帯することもできる。また、同形状のポケット１２を複数個用意しておいて用途等に応じてポケット１２を付け替えて使用することもできる。
【００６９】
ポケット１２が着脱できる構成においてその固定手段としては面ファスナーやスナップボタン等を使用できるが、その固定手段は凹部１７内に設けることが好ましい。これによりポケット１２を外した状態で固定手段が邪魔にならないという利点がある。また、固定手段が面ファスナー５５であれば着脱が特に容易であるが、特にフック状部とループ状部のうちの一方をポケット１２に、他方を凹部１７内に設けることが好ましく、ポケット１２を凹部１７に挿入するという簡単なワンアクションでポケット１２を固定できる。尚、凹部１７の側壁部ではなく図１２のように凹部１７の底部に面ファスナー５５の他方を設ければ、ループ状部とフック状部との係合の方向がポケット１２の凹部１７への挿入方向となるため、より容易に固定できる。
【００７０】
面ファスナー５５を使用する場合、フック状部にはゴミが付着しやすいという問題があるため、着脱して持ち運ぶことの多いポケット１２にはループ状部を取り付けることが考えられる。逆にベスト側にはフック状部を取り付けることとなるが、そのフック状部を凹部１７内に設けることにより、フック状部が奥まった位置に設けられるためフック状部へのゴミの付着を抑制することができる。特に、図１２のようにフック状部を最も奥まった位置である凹部１７の底部に設けれることが好ましい。
【００７１】
尚、図１２では、前身ごろ２の表地８が浮力材４の凹部１７内に入り込むように縫製され、その凹部１７内の表地８に面ファスナー５５のフック状部が縫着されているが、表地８を省略してポケット１２が浮力材４の表面に直接固定される構成としてもよい。尚、ポケット１２は服地から構成しても、保形性を有する板状部材から構成してもよい。射出成形によって形成されたポケット１２でもよい。このように、ポケット１２が着脱可能な構成であっても、ポケット１２を凹部１７内に挿入させるようにしてベストに固定できるため、平坦な箇所にポケット１２を固定する構成に比してポケット１２の膨出量を抑制することができるのである。
【００７２】
尚、浮力材に凹部を形成する方法については、例えば、浮力材を金型等で熱圧成形して形成する方法の他、以下のような方法も採用できる。即ち、図１３のように、浮力材４を表層４ａと裏層４ｂの二層から構成し、表層４ａに貫通孔３０を形成すると共に、その貫通孔３０の裏側を裏層４ｂにて閉塞するように表層４ａの裏面側に裏層４ｂを貼り合わせるなどして積層することによって、浮力材４の表面に凹部３１を形成してもよい。逆に、裏面に凹部を設ける場合には裏層４ｂに貫通孔を形成する。
【００７３】
更に、上記実施形態では、浮力材の表面又は裏面に凹部を形成したが、図４、図６、図８、図９、図１２に二点鎖線にて示すようにポケットに対応した位置に表裏貫通する貫通孔４０を形成し、その貫通孔４０内に収容空間Ｖが形成するようにしてもよい。この場合であっても膨出量を抑制できるため動きやすくなる。貫通孔４０の場合、浮力材の外側と内側の同一箇所にそれぞれポケットを設け、それぞれの収容空間を同じ貫通孔４０内に形成することもできる。
【００７４】
また、フローティングベストを例にして説明したが、袖を有するものや上下一体構造の衣服など、種々の浮力材付き衣服に適応可能であり、浮力材を設ける箇所も適宜設計変更可能である。尚、浮力材を衣服本体に収容する構成について説明したが、例えば、浮力材を服地の裏面や表面に直接取り付ける構成であっても本発明の意図する範囲内である。
【００７５】
【発明の効果】
以上のように、ポケットに対応した位置に凹部又は貫通孔を形成してポケットの収容空間の少なくとも一部が凹部又は貫通孔内に形成されるように構成したので、ポケットの膨出量を従来に比して抑制することができ、釣り人等の着用者がスムーズに腕等を動かすことができる。
【図面の簡単な説明】
【図１】本発明の一実施形態における浮力材付きベストを示す正面図。
【図２】図１のＰ−Ｐ線端面図。
【図３】同ベストに使用されている浮力材を示す斜視図。
【図４】図１のＱ−Ｑ線端面図。
【図５】同ベストを示す一部破断線を含む正面図。
【図６】図５のＲ−Ｒ線端面図。
【図７】他の実施形態における浮力材付きベストを示す正面図。
【図８】図７のＳ−Ｓ線端面図。
【図９】図８のＴ−Ｔ線端面図。
【図１０】同ベストのポケットの外壁を内面側から見た図。
【図１１】同ベストのポケットの外壁の断面図。
【図１２】他の実施形態における浮力材付きベストの要部を示す図９に対応した図。
【図１３】他の実施形態における浮力材付きベストに使用される浮力材の要部断面図。
【図１４】従来の浮力材付きベストを示す図４に対応した要部断面図。
【符号の説明】
１…衣服本体、２…前身ごろ、３…後ろ身ごろ、４，５…浮力材、７…浮力材収容部、８…表地、９…裏地、１０，１３，１４，２３…スライドファスナー、１１，１２、２１…ポケット、１２ａ…外壁、１５…ポケット用裏地、１５ａ，５３…マチ、１６，１７，２２，３１…凹部、２０…小ポケット、４０…貫通孔、５０…収容凹部、５１…被覆シート、５２…板状発泡体、５５…面ファスナー（固定手段）
【図１】
0003831674.tif 000002
【図２】
0003831674.tif 000003
【図３】
0003831674.tif 000004
【図４】
0003831674.tif 000005
【図５】
0003831674.tif 000006
【図６】
0003831674.tif 000007
【図７】
0003831674.tif 000008
【図８】
0003831674.tif 000009
【図９】
0003831674.tif 000010
【図１０】
0003831674.tif 000011
【図１１】
0003831674.tif 000012
【図１２】
0003831674.tif 000013
【図１３】
0003831674.tif 000014
【図１４】
0003831674.tif 000015